(57)【要約】【課題】既設の換気ダクトを活用して不燃材料へのリフォームを簡単に且つ低コストで行えるリフォーム用換気構造を提供する。【解決手段】建築壁７の内部に残された既設の換気ダクト１の内側にその内面全長を覆うように内設される不燃材料からなる新設のスリーブ２と、新設のスリーブ２を建築壁７に対して固定する固定手段３とを備える。新設のスリーブ２は既設の換気扇１２に代わる新設の乾燥機１３からの排気管１３ａが接続可能な屋内側端部２ａと、新設のスリーブ２を屋外Ｂから覆う外部フード８が接続可能な屋外側端部２ｂとを備えているリフォーム用換気構造である。【選択図】図１
2010255933.tif 000002
【特許請求の範囲】
【請求項１】
屋内の換気扇からの排気を屋外に排出させる既設の換気ダクトが建築壁を貫通して取り付けられており、該既設の換気ダクトを不燃材料に変更するリフォーム用換気構造であって、建築壁の内部に残された既設の換気ダクトの内側にその内面全長を覆うように内設される不燃材料からなる新設のスリーブと、上記新設のスリーブを建築壁に対して固定する固定手段とを備えると共に、上記新設のスリーブは、既設の換気扇に代わる新設の乾燥機からの排気管が接続可能な屋内側端部と、新設のスリーブを屋外から覆う外部フードが接続可能な屋外側端部とを備えていることを特徴とするリフォーム用換気構造。
【請求項２】
上記固定手段は、上記新設のスリーブにおける既設の換気ダクトからの突出部分を外囲する筒状部と、該筒状部の内周面に設けられて上記新設のスリーブの外周面と螺合するネジ部と、該筒状部の外側に突設して建築壁に固定されるフランジ部とを一体に備えた固定フランジで構成されていることを特徴とする請求項１記載のリフォーム用換気構造。
【発明の詳細な説明】
【技術分野】
【０００１】
本発明は、リフォーム用換気構造に関し、詳しくは例えば個建住宅や工場等の建屋に設置される換気扇用の既設の換気ダクトを不燃材料に変更するためのリフォーム用換気構造に関するものである。
【背景技術】
【０００２】
従来から、ユニットバスの天井又は壁に換気扇を設置し、該換気扇の排気を建物の壁を貫通する既設の換気ダクトを介して屋外に排出する換気構造がよく知られている（例えば特許文献１参照）。
【先行技術文献】
【特許文献】
【０００３】
【特許文献１】特開２００２−７１１８２号公報
【発明の概要】
【発明が解決しようとする課題】
【０００４】
ところで、浴室のリフォームの際に、例えば換気扇に代えて浴室を乾燥機タイプに変更するニーズが高まっている。ここで、換気扇の場合は建物の壁を貫通する既設の換気ダクトを特に不燃材料で形成する必要はないが、浴室内を乾燥室にリフォームする場合は、乾燥機からの排熱に配慮して既設の換気ダクトを不燃材料に変更しなければならない。
【０００５】
そこで従来は、既設の換気ダクトを建物の壁から取り外して壁穴をモルタルで埋めた後に、壁に新たな壁穴をあけて、不燃材料で構成された新設の換気ダクトを埋め込む必要があるなど、リフォーム作業が非常に面倒であった。場合によっては、壁に埋め込んだ既設の換気ダクトを取り外すことができずに、壁自体を交換しなければならないこともあり、リフォームの工期が長期にわたるという問題があった。
【０００６】
本発明は上記の従来の問題点に鑑みて発明したものであって、その目的とするところは、既設の換気ダクトを活用して不燃材料への変更を簡単に且つ低コストで行えるリフォーム用換気構造を提供することにある。
【課題を解決するための手段】
【０００７】
前記の課題を解決するために、本発明は、屋内Ａの換気扇１２からの排気を屋外Ｂに排出させる既設の換気ダクト１が建築壁７を貫通して取り付けられており、該既設の換気ダクト１を不燃材料に変更するリフォーム用換気構造であって、建築壁７の内部に残された既設の換気ダクト１の内側にその内面全長を覆うように内設される不燃材料からなる新設のスリーブ２と、上記新設のスリーブ２を建築壁７に対して固定する固定手段３とを備える。上記新設のスリーブ２は既設の換気扇１２に代わる新設の乾燥機１３からの排気管１３ａが接続可能な屋内側端部２ａと、新設のスリーブ２を屋外Ｂから覆う外部フード８が接続可能な屋外側端部２ｂとを備えていることを特徴としている。
【０００８】
このような構成とすることで、例えば浴室を換気扇タイプから乾燥機タイプにリフォームする際に、既設の換気構造を丸ごとリフォームするのではなく、既設の換気ダクト１を建築壁７内部に残したままで、不燃材料で構成された新設のスリーブ２を既設の換気ダクト１内部に後付けするだけでよく、しかも既設の換気ダクト１を活用できるので、既設の換気ダクト１の取り外しや新たな壁穴の穴あけ、或いは壁自体の交換等もそれぞれ不要となる。
【０００９】
また、上記固定手段３は、上記新設のスリーブ２における既設の換気ダクト１からの突出部分を外囲する筒状部５と、該筒状部５の内周面に設けられて上記新設のスリーブ２の外周面と螺合するネジ部５ａと、該筒状部５の外側に突設して建築壁７に固定されるフランジ部６とを一体に備えた固定フランジ４で構成されているのが好ましく、この場合、新設のスリーブ２を既設の換気ダクト１内に挿入し、さらに固定フランジ４の筒状部５内面にネジ込むことで、新設のスリーブ２を固定フランジ４を介して建築壁７に対して簡単に且つ強固に固定でき、新設のスリーブ２の取付け作業性及び取付け強度に優れたものとなる。
【発明の効果】
【００１０】
本発明は、既設の換気ダクトの内部に不燃材料で構成された新設のスリーブを後付けすることにより、不燃材料へのリフォームを部材レベルで行うことができ、経済性に優れたものとなる。しかも、既設の換気ダクトをそのまま活用できるので、既設の換気ダクトの取り外しや新たな壁穴の穴あけ、或いは壁自体の交換等がそれぞれ不要となり、リフォームの工期が短くて済むものである。
【図面の簡単な説明】
【００１１】
【図１】（ａ）は換気扇用の換気ダクトを用いた既設の換気構造の一例を示す側面断面図であり、（ｂ）は本発明の既設の換気ダクトを活用した不燃材料からなる新設のスリーブと固定手段とを備えたリフォーム用換気構造の一例を示す側面断面図である。
【図２】同上の新設のスリーブと固定手段の分解斜視図である。
【図３】（ａ）は浴室天井に設置される既設の換気扇の一例であり、（ｂ）は既設の換気扇に代えて新設の乾燥機を設置した一例である。
【図４】（ａ）〜（ｃ）は同上のリフォーム作業の過程を説明する図である。
【図５】（ａ）〜（ｃ）は同上のリフォーム作業の過程を説明する図である。
【発明を実施するための形態】
【００１２】
以下、本発明を添付図面に示す実施形態に基いて説明する。
【００１３】
図１（ａ）は、屋内Ａの換気扇１２（図３（ａ））からの排気を屋外Ｂに排出させる既設の換気ダクト１を建築壁７を貫通して取り付けた既設の換気構造の一例を示している。既設の換気ダクト１は、建築壁７を構成する内壁材５０と外壁材５１とをそれぞれ貫通して固定されており、換気ダクト１の外周に設けたフランジ部１ａが内壁材５０の外面５０ａに対してネジ４０で固定されている。換気ダクト１の内端部には接続リング１２を介して換気扇１２からのアルミ排気管１２ａが接続され、換気ダクト１の外端部には屋外Ｂの外部フード８が接続されている。
【００１４】
図１（ｂ）は既設の換気ダクト１を活用した本発明に係るリフォーム用換気構造の一例を示す図である。本発明のリフォーム用換気構造は、不燃材料からなる新設のスリーブ２と、新設のスリーブ２を建築壁７に対して固定する固定手段３である固定フランジ４とで主体が構成されている。
【００１５】
上記新設のスリーブ２は、既設の換気ダクト１の内部に同芯上に挿入される不燃材料からなるストレート管で構成されている。不燃材料として、例えばアルミニウム、鉄等の金属材料、これ以外に不燃性の樹脂材料等が挙げられる。新設のスリーブ２の長さは、既設の換気ダクト１の内面全長を覆うと共に屋外側端部２ａが既設の換気ダクト１よりも屋内Ａに突出するように、既設の換気ダクト１よりも長寸に設定されている。新設のスリーブ２の外径寸法は、新設のスリーブ２の外周面が既設の換気ダクト１の内周面と密着できるように設定されている。
【００１６】
新設のスリーブ２の屋内側端部２ａは、既設の換気扇１２に代わる新設の乾燥機１３からの排気管が接続可能な形状をしており、屋外側端部２ｂは外部フード８が接続可能な形状とされている。本例の外部フード８は、図１（ｂ）に示すように、新設のスリーブ２を介して屋内Ａに雨が吹き込むのを防ぐための下方に開口を有した覆い部８ａと、新設のスリーブ２の屋外側端部２ｂに挿入接続される接続筒部８ｂとを備えている。
【００１７】
さらに上記新設のスリーブ２の屋外側端部２ｂには、図２に示すように、外周から外方に向かってネジ孔１２付きツバ部１０が突設されている。このツバ部１０は、既設の換気ダクト１の外端部よりもさらに外方に突出して外壁材５１の外面５１ａに対してネジ１１で固定される。これにより新設のスリーブ２の抜け防止が図られる。
【００１８】
一方、固定手段３である固定フランジ４は、内壁材５０の内面５０ｂに対して新設のスリーブ２を固定するためのものであり、図２に示すように、新設のスリーブ２が挿入可能な開口部５３を有する筒状部５を備える。筒状部５の内周面には、新設のスリーブ２の外周面の外ネジ３０と螺合する内ネジ形状のネジ部５ａが形成されている。筒状部５の外周部には外方に向かって内壁材５０の内面５０ｂに固定されるネジ孔１３付きフランジ部６が突設されている。
【００１９】
次に、浴室の天井２０に敷設された換気扇１２（図３（ａ））を、乾燥機１３（図３（ｂ））にリフォームする際の手順の一例を説明する。
【００２０】
予め、図４（ａ）に示すように、換気扇１２のアルミ排気管１２ａ（図１（ａ））と、これに接続される接続リング１２ｂと、屋外Ｂの外部フード８とをそれぞれ取り外しておく。既設の換気ダクト１は建築壁７の内部に残したままにしておく。
【００２１】
その後、図４（ｂ）に示すように、屋内Ａ側から固定フランジ４の筒状部５を既設の換気ダクト１と同芯上に配置した状態で、筒状部５の外方に突設したフランジ部６を内壁材５０の内面５０ｂに対してネジ１４で取り付ける。
【００２２】
その後、図４（ｃ）に示すように、屋外Ｂから新設のスリーブ２を既設の換気ダクト１内側に挿通する。このとき新設のスリーブ２を回転させて新設のスリーブ２の外ネジ３０を筒状部５のネジ部５ａにネジ込む。これにより図５（ａ）→（ｂ）に示すように、新設のスリーブ２の屋内側端部２ａを既設の換気ダクト１の内端部よりも屋内Ａ側に向けて突出させることができる。この状態で新設のスリーブ２が固定フランジ４を介して内壁材５０の内面５０ｂに対して固定された状態となる。その後、屋外Ｂにおいて、新設のスリーブ２の屋外側端部２ｂのツバ部１０を外壁材５１の外面５１ａにネジ１１で固定した後に、図５（ｃ）に示すように、乾燥機１３からの蛇腹状をしたアルミ排気管１３ａを新設のスリーブ２の屋内側端部２ａに接続すると共に、新設のスリーブ２の屋外側端部２ｂに対して、前記取り外した外部フード８を接続して、リフォーム作業が完了する。
【００２３】
しかして、浴室の換気扇１２を乾燥機１３にリフォームする際に、既設の換気ダクト１を建築壁７に対して不燃材料で構成された新設のスリーブ２を新たに内設することで、部材レベルのリフォームを低コストで実現できる。しかも既設の換気ダクト１を活用できるので、既設の換気ダクト１の取り外しや新たな壁穴の形成、或いは建築壁７自体の交換等がそれぞれ不要となり、リフォームの工期が短くて済む。
【００２４】
また、新設のスリーブ２は固定フランジ４の筒状部５内面にネジ込まれるので、新設のスリーブ２を固定フランジ４を介して建築壁７に対して簡単且つ強固に固定できる構造となる。
【００２５】
また本例では、既設の換気ダクト１と新設のスリーブ２の二重ダクト構造であり且つ新設のスリーブ２の外周面が既設の換気ダクト１の内周面に密着した構造となっているため、不燃材料のダクト構造にできると共に、乾燥機１３の排気、給気のどちらにも対応可能となる。そのうえ、屋外Ｂ側では新設のスリーブ２の屋外側端部２ｂのツバ部１０が既設の換気ダクト１の外端部を覆っているため、ダクト1,２間の隙間からの雨水や結露水の浸入をツバ部１０にて確実に防止できる利点もある。
【００２６】
前記実施形態では、換気扇１２に用いた既設の外部フード８をそのまま再使用する場合を説明したが、新たな不燃性フードに交換することも可能である。
【００２７】
本発明のリフォーム用換気構造は、浴室内の乾燥機類へのリフォームに限らず、浴室以外の乾燥機類へのリフォームにも広く適用可能である。
【符号の説明】
【００２８】
１  既設の換気ダクト
２  新設のスリーブ
２ａ  屋内側端部
２ｂ  屋外側端部
３  固定手段
４  固定フランジ
５  筒状部
６  ネジ部
７  建築壁
８  外部フード
１２  換気扇
１３  乾燥機
１３ａ  排気管
Ａ  屋内
Ｂ  屋外
【図１】
2010255933.tif 000003
【図２】
2010255933.tif 000004
【図３】
2010255933.tif 000005
【図４】
2010255933.tif 000006
【図５】
2010255933.tif 000007